(57)【要約】【課題】  引出線の固定に際し、流体冷媒の流れを阻害しないこと。【解決手段】  固定子６０Ａは、固定子コア１０と、インシュレータ２０Ａと、複数のコイル巻線３０と、引出線４０と、複数の引出線拘束具５０Ａと、を備える。インシュレータ２０Ａは、固定子コア１０に設置されている。複数のコイル巻線３０は、固定子コア１０に巻きつけられている。引出線４０は、各コイル巻線３０の両端から延びる。複数の引出線拘束具５０Ａは、インシュレータ２０Ａに係合することで引出線４０の動きを制限する。【選択図】図１
2016192880.tif 000002
【特許請求の範囲】
【請求項１】
中心軸（Ｃ）を有する固定子であって、
コア（１０）と、
前記コアに設置されたインシュレータ（２０Ａ、２０Ｂ、２０Ｃ、２０Ｄ）と、
前記コアに巻きつけられた複数のコイル巻線（３０）と、
各コイル巻線の両端から延びる引出線（４０）と、
前記インシュレータに係合することで前記引出線の動きを制限する複数の引出線拘束具（５０Ａ、５０Ｂ、５０Ｃ、５０Ｄ）と、
を備える固定子（６０Ａ、６０Ｂ、６０Ｃ、６０Ｄ）。
【請求項２】
前記複数の引出線拘束具の各々は、前記インシュレータと係合する第１係合部（５４）および第２係合部（５５）を有する、
請求項１に記載の固定子。
【請求項３】
前記複数の引出線拘束具（５０Ａ、５０Ｂ）の各々は、前記中心軸と平行な軸方向に移動することによって、前記インシュレータと係合する、
請求項１または請求項２に記載の固定子。
【請求項４】
前記複数の引出線拘束具（５０Ｃ、５０Ｄ）の各々は、前記中心軸と垂直な径方向に移動することによって、前記インシュレータと係合する、
請求項１または請求項２に記載の固定子。
【請求項５】
前記コアは、内側に延びる、前記複数のコイル巻線を巻きつけるための複数のティース（１１）を有し、
前記複数の引出線拘束具（５０Ａ、５０Ｂ、５０Ｃ、５０Ｄ）の各々は、軸方向視において前記複数のティースのうちの１つと少なくとも部分的に重なるように前記インシュレータに係合する、
請求項１から４のいずれか１つに記載の固定子（６０Ａ、６０Ｃ）。
【請求項６】
前記複数の引出線拘束具（５０Ｂ、５０Ｄ）の各々は、前記インシュレータに係合するときに前記複数のコイル巻線のうちの隣接する２つの間に介在する相間絶縁部（５８）を有する、
請求項１から４のいずれか１つに記載の固定子（６０Ｂ、６０Ｄ）。
【請求項７】
前記複数の引出線拘束具（５０Ａ、５０Ｃ）の各々の厚さ（Ｔ）は、前記複数のコイル巻線の１つが有する周方向の寸法（Ｗ）以下である、
請求項５に記載の固定子。
【請求項８】
前記複数の引出線拘束具（５０Ａ、５０Ｂ、５０Ｃ、５０Ｄ）の各々の厚さ（Ｔ）は、前記複数のコイル巻線のうちの隣接する２つの周方向の離間距離（Ｇ）以下である、
請求項６に記載の固定子。
【請求項９】
請求項１から８のいずれか１つに記載の固定子（６０Ａ、６０Ｂ、６０Ｃ、６０Ｄ）と、
固定子と電磁的に相互作用する回転子（７０）と、
を備えるモータ（１００Ａ、１００Ｂ、１００Ｃ、１００Ｄ）。
【請求項１０】
請求項９に記載のモータと、
モータによって回転させられるシャフト（１５０）と、
前記シャフトの回転によって流体を圧縮する流体圧縮機構（２２０）と、
モータ、前記シャフト、および前記流体圧縮機構を収容する圧力容器（２１０）と、
を備える圧縮機（３００）。
【発明の詳細な説明】
【技術分野】
【０００１】
本発明は、引出線拘束具を備える固定子、モータ、および圧縮機に関する。
【背景技術】
【０００２】
モータは、固定子と、この固定子が有する空洞に配置される回転子を有する。固定子には、固定子コアとその端面に設置されたインシュレータとが含まれる。固定子コアには、コイル巻線を巻きつけるための複数のティースが形成されている。各々のコイル巻線の両端から延びる引出線は、長い距離を延び、最終的には相互の接続点または電源端子に達する。この長い引出線は、複数のコイルの近傍を渡るように這いまわされる。
【０００３】
振動などによってモータが悪影響を受けるのを防止するため、這いまわされた引出線を固定する必要がある。特許文献１（特開２０１０−４５９５２号公報）が示すモータでは、引出線を固定するために、インシュレータに係合する蓋状の絶縁カバーが用いられている。これにより、インシュレータと蓋状の絶縁カバーによって構成される容器の中に、引出線が閉じ込められる。
【発明の概要】
【発明が解決しようとする課題】
【０００４】
空気調和機の圧縮機に使用されるモータは、流体冷媒が充満する密閉容器の中に設置される。流体冷媒は、固定子に設けられた複数のコイル巻線の間の空間やその他の空隙を通過する。したがって、この分野のモータは、流体冷媒の流れをあまり阻害しないように設計される必要がある。
【０００５】
前述した蓋状の絶縁カバーのように流体冷媒の流れる方向を横切る大きな平面を持つ部材を採用すると、流体冷媒の通過が著しく阻害されてしまう。これは、油上がりなどの好ましくない現象を誘発するおそれがある。
【０００６】
本発明の課題は、引出線の固定に際し、流体冷媒の流れを阻害しないことである。
【課題を解決するための手段】
【０００７】
本発明の第１観点に係る固定子は、中心軸を有する。固定子は、コアとインシュレータと、複数のコイル巻線と、引出線と、複数の引出線拘束具と、を備える。インシュレータは、コアに設置されている。複数のコイル巻線は、コアに巻きつけられている。引出線は、各コイル巻線の両端から延びる。複数の引出線拘束具は、インシュレータに係合することで引出線の動きを制限する。
【０００８】
この構成によれば、引出線は、複数の引出線拘束具によって固定される。したがって、複数の引出線拘束具の隣接する２つの間に空間が確保されるので、引出線の固定に際して冷媒の流れが阻害されにくい。
【０００９】
本発明の第２観点に係る固定子は、第１観点に係る固定子において、複数の引出線拘束具の各々が、インシュレータと係合する第１係合部および第２係合部を有する。
【００１０】
この構成によれば、引出線拘束具はインシュレータと２箇所において係合する。したがって、引出線拘束具がインシュレータから外れるおそれを低減できる。
【００１１】
本発明の第３観点に係る固定子は、第１観点または第２観点に係る固定子において、複数の引出線拘束具の各々が、中心軸と平行な軸方向に移動することによって、インシュレータと係合する。
【００１２】
この構成によれば、引出線拘束具はインシュレータに対して軸方向に挿入される。したがって、モータの組立作業において、固定子の中に回転子を設置した後であっても引出線拘束具を取り付けることが可能である。
【００１３】
本発明の第４観点に係る固定子は、第１観点または第２観点に係る固定子において、複数の引出線拘束具の各々が、中心軸と垂直な径方向に移動することによって、インシュレータと係合する。
【００１４】
この構成によれば、引出線拘束具はインシュレータに対して径方向に挿入される。したがって、引出線拘束具に係合爪部を設け、それをインシュレータの外壁の穴に挿入する係合態様を採用することにより、引出線拘束具がインシュレータに強固に固定される。
【００１５】
本発明の第５観点に係る固定子は、第１観点から第４観点のいずれか１つに係る固定子において、コアが、複数のティースを有する。複数のティースは、内側に延びる。複数のティースは、複数のコイル巻線を巻きつけるためのものである。複数の引出線拘束具の各々は、軸方向視において前記複数のティースのうちの１つと少なくとも部分的に重なるようにインシュレータに係合する。
【００１６】
この構成によれば、引出線拘束具は、ティースと重なるように取り付けられる。したがって、この固定子を備えるモータを空気調和機の圧縮機に搭載した場合、隣接する２つのコイル間の間隙における冷媒流体の通過を妨害しない。
【００１７】
本発明の第６観点に係る固定子は、第１観点から第４観点のいずれか１つに係る固定子において、複数の引出線拘束具の各々は、相間絶縁部を有する。相間絶縁部は、前記インシュレータに係合するときに複数のコイル巻線のうちの隣接する２つの間に介在する。
【００１８】
この構成によれば、隣接する２つのコイル巻線の間に相間絶縁部が介在する。したがって、隣接する２つのコイル巻線は互いからより確実に絶縁される。
【００１９】
本発明の第７観点に係る固定子は、第５観点に係る固定子において、複数の引出線拘束具の各々の厚さ（Ｔ）が、前記複数のコイル巻線の１つが有する周方向の寸法（Ｗ）以下である。
【００２０】
この構成によれば、引出線拘束具が、コイル巻線の輪郭を越えて周方向に突出することはない。したがって、隣接する２つのコイル間の間隙における冷媒流体の通過を妨害しない。
【００２１】
本発明の第８観点に係る固定子は、第６観点に係る固定子において、複数の引出線拘束具の各々の厚さ（Ｔ）が、複数のコイル巻線のうちの隣接する２つの周方向の離間距離（Ｇ）以下である。
【００２２】
この構成によれば、引出線拘束具が、隣接する２つのコイル間の間隙を完全に塞いでしまうことはない。したがって、隣接する２つのコイル間の間隙において冷媒流体が通過できなくなる事態を防ぐことができる。
【００２３】
本発明の第９観点に係るモータは、固定子と、回転子と、を備える。固定子は、第１観点から第８観点のいずれか１つに係るものである。回転子は、固定子と電磁的に相互作用する。
【００２４】
この構成によれば、モータは、本発明に係る固定子を有する。したがって、引出線拘束具が引出線を固定する際に、冷媒の流れが阻害されにくい。
【００２５】
本発明の第１０観点に係る圧縮機は、モータと、シャフトと、流体圧縮機構と、圧力容器と、を備える。モータは、本発明の第９観点に係るものである。シャフトは、モータによって回転させられる。流体圧縮機構は、シャフトの回転によって流体を圧縮する。圧力容器は、モータ、シャフト、および流体圧縮機構を収容する。
【００２６】
この構成によれば、圧縮機は、本発明に係るモータを有する。したがって、引出線拘束具が引出線を固定する際に、冷媒の流れが阻害されにくい。
【発明の効果】
【００２７】
本発明の第１観点、第５観点、第７観点、および第８観点に係る固定子は、冷媒の流れが阻害されにくい。
【００２８】
本発明の第２観点に係る固定子では、引出線拘束具がインシュレータから外れにくい。
【００２９】
本発明の第３観点に係る固定子では、固定子の中に回転子を設置した後であっても引出線拘束具を取り付けることが可能である。
【００３０】
本発明の第４観点に係る固定子では、引出線拘束具がインシュレータに強固に固定される。
【００３１】
本発明の第６観点に係る固定子では、隣接する２つのコイル巻線は互いからより確実に絶縁される。
【００３２】
本発明の第９観点に係るモータでは、冷媒の流れが阻害されにくい。
【００３３】
本発明の第１０観点に係る圧縮機では、冷媒の流れが阻害されにくい。
【図面の簡単な説明】
【００３４】
【図１】本発明の第１実施形態に係るモータ１００Ａの断面図である。
【図２】本発明の第１実施形態に係るモータの固定子６０Ａの平面図である。
【図３】本発明の第１実施形態に係るモータの固定子コア１０の平面図である。
【図４】本発明の第１実施形態に係るモータのインシュレータ２０Ａの平面図である。
【図５】固定子コア１０の上に設置されたインシュレータ２０Ａの斜視図である。
【図６】本発明の第１実施形態に係るモータの固定子６０Ａの斜視図である。
【図７】本発明の第１実施形態に係るモータの固定子６０Ａの電気回路図である。
【図８】本発明の第１実施形態に係るモータの引出線拘束具５０Ａの側面図である。
【図９】本発明の第２実施形態に係るモータ１００Ｂの断面図である。
【図１０】本発明の第２実施形態に係るモータの固定子６０Ｂの平面図である。
【図１１】本発明の第２実施形態に係るモータのインシュレータ２０Ｂの平面図である。
【図１２】固定子コア１０の上に設置されたインシュレータ２０Ｂの斜視図である。
【図１３】本発明の第２実施形態に係るモータの固定子６０Ｂの斜視図である。
【図１４】本発明の第２実施形態の変形例２Ａに係るモータの引出線拘束具５０Ｂの側面図である。
【図１５】本発明の第３実施形態に係るモータ１００Ｃの断面図である。
【図１６】本発明の第３実施形態に係るモータの固定子６０Ｃの平面図である。
【図１７】本発明の第３実施形態に係るモータのインシュレータ２０Ｃの平面図である。
【図１８】固定子コア１０の上に設置されたインシュレータ２０Ｃの斜視図である。
【図１９】本発明の第３実施形態に係るモータの固定子６０Ｃの斜視図である。
【図２０】本発明の第３実施形態に係るモータの引出線拘束具５０Ｃの側面図である。
【図２１】本発明の第４実施形態に係るモータ１００Ｄの断面図である。
【図２２】本発明の第４実施形態に係るモータの固定子６０Ｄの平面図である。
【図２３】本発明の第４実施形態に係るモータのインシュレータ２０Ｄの平面図である。
【図２４】固定子コア１０の上に設置されたインシュレータ２０Ｄの斜視図である。
【図２５】本発明の第４実施形態に係るモータの固定子６０Ｄの斜視図である。
【図２６】本発明の第４実施形態の変形例４Ａに係るモータの引出線拘束具５０Ｄの側面図である。
【図２７】本発明の第５実施形態に係る圧縮機３００の断面図である。
【発明を実施するための形態】
【００３５】
＜第１実施形態＞
（１）全体構成
図１は、本発明の第１実施形態に係るモータ１００Ａの断面図である。モータ１００Ａは、空気調和機の圧縮機に搭載されるものである。モータ１００Ａは、ケーシング９０に取り付けられた固定子６０Ａと、シャフト１５０に取り付けられた回転子７０を備えている。固定子６０Ａは円筒形状であり、回転子７０の外周に設けられている。固定子６０Ａと回転子７０が磁気的に相互作用をすることにより、回転子７０はシャフト１５０とともに中心軸Ｃを中心として回転する。
【００３６】
（２）詳細構成
（２−１）固定子６０Ａ
図１に示すとおり、固定子６０Ａは、固定子コア１０、上側のインシュレータ２０Ａ、下側のインシュレータ２０’、コイル巻線３０、引出線４０、引出線拘束具５０Ａを備える。
【００３７】
図２は、固定子６０Ａの平面図である。固定子６０Ａには、回転子７０を収容するための空洞６１が形成されている。空洞６１は固定子６０Ａの中心軸Ｃを含んでいる。本図中のＩ−Ｉ線に沿った平面が、図１の断面図の固定子６０Ａの部分に相当する。
【００３８】
（２−１−１）固定子コア１０
図３は、固定子コア１０の平面図である。固定子コア１０は、例えば積層鋼板からなり、円筒部１２と、円筒部１２から中心軸Ｃに向かって延びる複数のティース１１を有する。
【００３９】
（２−１−２）上側のインシュレータ２０Ａ
図１に示す上側のインシュレータ２０Ａは、固定子コア１０の上端面１３に設けられており、例えば樹脂製である。
【００４０】
図４は、インシュレータ２０Ａの平面図である。インシュレータ２０Ａは、円筒状の外壁２１と、外壁２１から中心軸Ｃに向かって延びる複数のティースカバー部２３と、各ティースカバー部の先端に１つずつ設けられた内壁２２を有する。
【００４１】
外壁２１の外周面には、外側に延出する係合フランジ２４が設けられている。外壁２１の内周面における各ティースカバー部２３の根元の近傍には、係合凹部２５が設けられている。
【００４２】
図５は、固定子コア１０の上に設置されたインシュレータ２０Ａを示す。固定子コア１０の上端面１３の各ティース１１の部分は、対応する内壁２２およびティースカバー部２３に覆われている。係合凹部２５は、外壁２１におけるティースカバー部２３の根元の上方に設けられている。
【００４３】
（２−１−３）下側のインシュレータ２０’
図１に示す下側のインシュレータ２０’は、固定子コア１０の下端面１４に設けられており、例えば樹脂製である。
【００４４】
（２−１−４）コイル巻線３０
図２に示すように、固定子６０Ａは、ティース１１と同じ数のコイル巻線３０を有する。隣接するコイル巻線３０の間のスロット３１は、空気調和機の流体冷媒の流路として機能する。
【００４５】
図１に示すように、各コイル巻線３０は、上側のインシュレータ２０Ａの１つのティースカバー部２３、固定子コア１０の１つのティース１１、および、下側のインシュレータ２０’の１つのティースカバー部に巻き付いている。
【００４６】
図６は、コイル巻線３０が取り付けられた固定子６０Ａを示す。コイル巻線３０は、ティースカバー部２３（図５）の上において、外壁２１と内壁２２の間を通っている。
【００４７】
（２−１−５）引出線４０
図７は、固定子６０Ａの電気回路を示す。すべてのコイル巻線３０の両端からは、引出線４０が延びており、１つの引出線４０は他のいずれかの引出線４０と接続されている。これらの引出線４０のうち、励磁電流を印加するための端子４３に接続されている箇所を電源線４１、すべてのコイル巻線３０の一端と接続されている箇所を中性線４２と呼ぶ。引出線４０は、絶縁被服によって覆われている部分、または、絶縁コーティングを施されている部分を有してもよい。
【００４８】
図６に示すように、引出線４０はコイル巻線３０の上に載置されている。
【００４９】
（２−１−６）引出線拘束具５０Ａ
図６に示すとおり、外壁２１には引出線拘束具５０Ａが設置されている。引出線拘束具５０Ａは、引出線４０を載置された場所から動かないように拘束するためのものであり、例えば樹脂製である。
【００５０】
図８は、引出線拘束具５０Ａの側面図である。引出線拘束具５０Ａは、横方向に延びるベース５９と、ベース５９から下方に延びる第１延出部５１、第２延出部５２、第３延出部５３を有する。第１延出部５１には、インシュレータ２０Ａの係合フランジ２４と係合するための第１係合部５４が設けられている。第２延出部５２には、インシュレータ２０Ａの係合凹部２５と係合するための第２係合部５５が設けられている。第１係合部５４は凹部であり、第２係合部５５は凸部である。第１延出部５１と第２延出部５２で規定される外壁収容部５６は、インシュレータ２０Ａの外壁２１と係合するために設けられている。第２延出部５２と第３延出部５３で規定される引出線収容部５７は、引出線４０を拘束するために設けられている。
【００５１】
図２に示すとおり、引出線拘束具５０Ａの各々は、中心軸Ｃの方向に投影した平面視において、ティース１１（図３）の１つと少なくとも部分的に重なるように設置されている。引出線拘束具５０Ａの各々の厚さＴは、コイル巻線３０の周方向の寸法Ｗ以下である。
【００５２】
（２−２）回転子７０
図１に示すとおり、回転子７０は、回転子コア７１、永久磁石７２、上下２枚の端板７３を備える。
【００５３】
回転子コア７１は、例えば積層鋼板からなる。
【００５４】
永久磁石７２は、磁極を作るためのものであり、回転子コア７１に設けられた貫通孔に収容されている。
【００５５】
２枚の端板７３は、回転子コア７１の上面と下面を覆っており、永久磁石７２が回転子コア７１の貫通孔から外れることを防いでいる。
【００５６】
（３）固定子６０Ａの組立て
固定子６０Ａは、以下の手順で組み立てられる。
【００５７】
まず、固定子コア１０の上端面１３と下端面１４に、それぞれ上側のインシュレータ２０Ａと下側のインシュレータ２０’が設置される。
【００５８】
次に、各ティース１１およびそれに対応するティースカバー部２３に導線を巻きつけることによって、コイル巻線３０を作る。
【００５９】
次に、各コイル巻線３０の両端から延びる引出線４０を、作業員が誘導し、コイル巻線３０の上に載置する。
【００６０】
最後に、作業員は、引出線４０が引出線収容部５７に入るようにしながら、引出線拘束具５０Ａを外壁２１に上方から接近させる。第１係合部５４と第２係合部５５が、それぞれ係合フランジ２４と係合凹部２５に係合されると、固定された引出線拘束具５０Ａによって、引出線４０がインシュレータ２０Ａに対して拘束される。
【００６１】
（４）特徴
（４−１）
引出線４０は、複数の引出線拘束具５０Ａによって固定される。したがって、複数の引出線拘束具５０Ａの隣接する２つの間には空間が確保されるので、引出線の固定に際して冷媒の流れが阻害されにくい。
【００６２】
（４−２）
引出線拘束具５０Ａは、第１係合部５４および第２係合部５５の２箇所において、インシュレータ２０Ａと係合する。したがって、引出線拘束具５０Ａがインシュレータ２０Ａから外れるおそれを低減できる。
【００６３】
（４−３）
引出線拘束具５０Ａはインシュレータ２０Ａに対して中心軸Ｃの方向に移動しながら設置される。したがって、モータ１００Ａの組立作業において、固定子６０Ａの中に回転子７０を設置した後であっても引出線拘束具５０Ａを取り付けることが可能である。
【００６４】
（４−４）
引出線拘束具５０Ａは、ティース１１と少なくとも部分的に重なるように取り付けられる。したがって、固定子６０Ａを備えるモータ１００Ａを空気調和機の圧縮機に搭載した場合、隣接する２つのコイル巻線３０の間のスロット３１における冷媒流体の通過を妨害しない。
【００６５】
（４−５）
引出線拘束具５０Ａの厚さＴは、コイル巻線３０の周方向の寸法Ｗ以下であるので、引出線拘束具５０Ａが、コイル巻線３０の輪郭を越えて周方向に突出することはない。したがって、隣接する２つのコイル巻線３０の間のスロット３１における冷媒流体の通過を妨害しない。
【００６６】
（４−６）
モータ１００Ａは、上述の固定子６０Ａを有する。したがって、引出線拘束具５０Ａが引出線４０を固定している状態において、冷媒の流れが阻害されにくい。
【００６７】
（５）変形例
（５−１）下側のインシュレータ
上述の第１実施形態では、図１に示すように、固定子６０Ａの下端面１４には、上側のインシュレータ２０Ａとは異なる形状を持つ下側のインシュレータ２０’が設けられている。これに代えて、固定子６０Ａの下端面１４にもインシュレータ２０Ａを設けて、固定子６０Ａの上側と下側の両方において引出線４０を固定してもよい。
【００６８】
（５−２）係合フランジ２４の形状
上述の第１実施形態では、係合フランジ２４はインシュレータ２０Ａの外周面の全域にわたって位置している。これに代えて、インシュレータ２０Ａは、外周面において必要な箇所にだけ係合突起を有してもよい。
【００６９】
（５−３）係合凹部２５の数
上述の第１実施形態では、係合凹部２５の数は、ティース１１の数と同じである。これに代えて、係合凹部２５の数は、ティース１１の数より少なくてもよいし、多くてもよい。
【００７０】
＜第２実施形態＞
（１）全体構成
図９は、本発明の第２実施形態に係るモータ１００Ｂの断面図である。モータ１００Ｂは、第１実施形態に係るモータ１００Ａで用いたインシュレータ２０Ａとは異なる形状を持つインシュレータ２０Ｂを備えている点が、第１実施形態に係るモータ１００Ａとは異なっている。第１実施形態と同様の構成要素には、同じ参照番号を付している。
【００７１】
モータ１００Ｂは、インシュレータ２０Ｂを有する固定子６０Ｂと、シャフト１５０に取り付けられた回転子７０を備えている。
【００７２】
（２）詳細構成
（２−１）固定子６０Ｂ
図９に示すとおり、固定子６０Ｂは、固定子コア１０、上側のインシュレータ２０Ｂ、下側のインシュレータ２０’、コイル巻線３０、引出線４０、引出線拘束具５０Ａを備える。
【００７３】
図１０は、固定子６０Ｂの平面図である。本図中のＩＸ−ＩＸ線に沿った平面が、図９の断面図の固定子６０Ｂの部分に相当する。
【００７４】
（２−２）上側のインシュレータ２０Ｂ
図１１は、インシュレータ２０Ｂの平面図である。インシュレータ２０Ｂは、円筒状の外壁２１と、外壁２１から中心軸Ｃに向かって延びる複数のティースカバー部２３と、各ティースカバー部の先端に１つずつ設けられた内壁２２を有する。
【００７５】
外壁２１の外周面には、外側に延出する係合フランジ２４が設けられている。外壁２１の内周面には、係合凹部２５が設けられている。係合凹部２５は、前述の第１実施形態とは異なり、隣接する２つのティースカバー部２３の根元の間に設けられている。
【００７６】
図１２は、固定子コア１０の上に設置されたインシュレータ２０Ｂを示す。この図もまた、係合凹部２５が隣接する２つのティースカバー部２３の根元の間に設けられていることを示している。
【００７７】
（２−３）コイル巻線３０、引出線４０
図１３は、コイル巻線３０が取り付けられた固定子６０Ｂを示す。コイル巻線３０および引出線４０の構成は、第１実施形態と同様である。
【００７８】
（２−４）引出線拘束具５０Ａ
引出線拘束具５０Ａは、第１実施形態に係るものと同じである。
【００７９】
図１３に示すとおり、引出線拘束具５０Ａは、係合凹部２５と係合するように設置されているので、隣接するコイル巻線３０の間に位置している。
【００８０】
図１０に示すとおり、引出線拘束具５０Ａの厚さＴは、隣接する２つのコイル巻線３０の周方向の離間距離Ｇ以下である。
【００８１】
（３）特徴
引出線拘束具５０Ａの厚さＴは、隣接するコイル巻線３０の周方向の離間距離Ｇ以下であるので、引出線拘束具５０Ａが、スロット３１を完全に塞いでしまうことはない。したがって、冷媒流体はスロット３１を通過することができる。
【００８２】
（４）変形例
（４−１）変形例２Ａ
図１４は、第２実施形態の変形例２Ａに係る引出線拘束具５０Ｂを示す。引出線拘束具５０Ｂは、第２延出部５２の下端に、平板状の相間絶縁部５８を有している。
【００８３】
引出線拘束具５０Ｂがインシュレータ２０Ｂに設置されたとき、相間絶縁部５８はスロット３１に挿入され、隣接する２つのコイル巻線３０を隔てる。
【００８４】
この構成によれば、隣接する２つのコイル巻線３０は互いからより確実に絶縁される。
【００８５】
（４−２）その他の変形例
第１実施形態の変形例を、本実施形態に適用してもよい。
【００８６】
＜第３実施形態＞
（１）全体構成
図１５は、本発明の第３実施形態に係るモータ１００Ｃの断面図である。モータ１００Ｃは、第１実施形態に係るモータ１００Ａで用いたインシュレータ２０Ａおよび引出線拘束具５０Ａとはそれぞれ異なる形状を持つインシュレータ２０Ｃおよび引出線拘束具５０Ｃを備えている点が、第１実施形態に係るモータ１００Ａとは異なっている。第１実施形態と同様の構成要素には、同じ参照番号を付している。
【００８７】
モータ１００Ｃは、インシュレータ２０Ｃを有する固定子６０Ｃと、シャフト１５０に取り付けられた回転子７０を備えている。
【００８８】
（２）詳細構成
（２−１）固定子６０Ｃ
図１５に示すとおり、固定子６０Ｃは、固定子コア１０、上側のインシュレータ２０Ｃ、下側のインシュレータ２０’、コイル巻線３０、引出線４０、引出線拘束具５０Ｃを備える。
【００８９】
図１６は、固定子６０Ｃの平面図である。本図中のＸＶ−ＸＶ線に沿った平面が、図１５の断面図の固定子６０Ｃの部分に相当する。
【００９０】
（２−２）上側のインシュレータ２０Ｃ
図１７は、インシュレータ２０Ｃの平面図である。インシュレータ２０Ｃは、円筒状の外壁２１と、外壁２１から中心軸Ｃに向かって延びる複数のティースカバー部２３と、各ティースカバー部の先端に１つずつ設けられた内壁２２を有する。
【００９１】
外壁２１における各ティースカバー部２３の根元の近傍には、外壁２１を貫通する第１貫通孔２４’および第２貫通孔２５’が設けられている。
【００９２】
図１８は、固定子コア１０の上に設置されたインシュレータ２０Ｃを示す。この図もまた、各ティースカバー部２３の根元の近傍に設けられた第１貫通孔２４’および第２貫通孔２５’を示している。
【００９３】
（２−３）引出線４０
図１９は、コイル巻線３０が取り付けられた固定子６０Ｃを示す。引出線４０は、コイル巻線３０より上方に離間して這いまわされている。
【００９４】
（２−４）引出線拘束具５０Ｃ
図１９に示すとおり、外壁２１には引出線拘束具５０Ｃが設置されている。引出線拘束具５０Ｃは、引出線４０を這いまわされた場所から動かないように拘束するためのものであり、例えば樹脂製である。
【００９５】
図２０は、引出線拘束具５０Ｃの側面図である。引出線拘束具５０Ｃは、縦方向に延びるベース５９と、ベース５９から横方向に延びる第１延出部５１、および第２延出部５２を有する。第１延出部５１には、インシュレータ２０Ｃの第１貫通孔２４’と係合するための第１係合部５４が設けられている。第２延出部５２には、インシュレータ２０Ｃの第２貫通孔２５’と係合するための第２係合部５５が設けられている。第１係合部５４と第２係合部５５は、いずれも爪部である。第１延出部５１と第２延出部５２には、それぞれストッパ５６’が設けられている。第１延出部５１と第２延出部５２で規定される引出線収容部５７は、引出線４０を拘束するために設けられている。
【００９６】
図１６に示すとおり、引出線拘束具５０Ｃの各々は、中心軸Ｃの方向に投影した平面視において、ティース１１（図３）の１つと少なくとも部分的に重なるように設置されている。引出線拘束具５０Ｃの各々の厚さＴは、コイル巻線３０の周方向の寸法Ｗ以下である。
【００９７】
（３）固定子６０Ｃの組立て
各コイル巻線３０の両端から延びる引出線４０は、作業員によってコイル巻線３０の上方を這いまされる。その後、作業員は、引出線４０が引出線収容部５７に入るようにしながら、引出線拘束具５０Ｃを外壁２１に径方向内側から接近させる。第１係合部５４と第２係合部５５が、それぞれ第１貫通孔２４’と第２貫通孔２５’に係合されると、固定された引出線拘束具５０Ｃによって、引出線４０がインシュレータ２０Ｃに対して拘束される。
【００９８】
（４）特徴
引出線拘束具５０Ｃはインシュレータ２０Ａに対して径方向に挿入され、爪部として形成された第１係合部５４および第２係合部５５がそれぞれ第１貫通孔２４’および第２貫通孔２５’と係合する。したがって、引出線拘束具５０Ｃがインシュレータ２０Ｃに対して強固に固定される。
【００９９】
（５）変形例
第１実施形態の変形例を、本実施形態に適用してもよい。
【０１００】
＜第４実施形態＞
（１）全体構成
図２１は、本発明の第４実施形態に係るモータ１００Ｄの断面図である。モータ１００Ｄは、第３実施形態に係るモータ１００Ｃで用いたインシュレータ２０Ｃとは異なる形状を持つインシュレータ２０Ｄを備えている点が、第３実施形態に係るモータ１００Ｃとは異なっている。第３実施形態と同様の構成要素には、同じ参照番号を付している。
【０１０１】
モータ１００Ｃは、インシュレータ２０Ｄを有する固定子６０Ｄと、シャフト１５０に取り付けられた回転子７０を備えている。
【０１０２】
（２）詳細構成
（２−１）固定子６０Ｄ
図２１に示すとおり、固定子６０Ｄは、固定子コア１０、上側のインシュレータ２０Ｄ、下側のインシュレータ２０’、コイル巻線３０、引出線４０、引出線拘束具５０Ｃを備える。
【０１０３】
図２２は、固定子６０Ｄの平面図である。本図中のＸＸＩ−ＸＸＩ線に沿った平面が、図２１の断面図の固定子６０Ｄの部分に相当する。
【０１０４】
（２−２）上側のインシュレータ２０Ｄ
図２３は、インシュレータ２０Ｄの平面図である。インシュレータ２０Ｄは、円筒状の外壁２１と、外壁２１から中心軸Ｃに向かって延びる複数のティースカバー部２３と、各ティースカバー部の先端に１つずつ設けられた内壁２２を有する。
【０１０５】
外壁２１には、外壁２１を貫通する第１貫通孔２４’および第２貫通孔２５’が設けられている。第１貫通孔２４’および第２貫通孔２５’は、前述の第３実施形態とは異なり、隣接する２つのティースカバー部２３の根元の間に設けられている。
【０１０６】
図２４は、固定子コア１０の上に設置されたインシュレータ２０Ｄを示す。この図もまた、隣接する２つのティースカバー部２３の根元の間に設けられた第１貫通孔２４’および第２貫通孔２５’を示している。
【０１０７】
（２−３）コイル巻線３０、引出線４０
図２５は、コイル巻線３０が取り付けられた固定子６０Ｄを示す。コイル巻線３０および引出線４０の構成は、第３実施形態と同様である。
【０１０８】
（２−４）引出線拘束具５０Ｃ
引出線拘束具５０Ｃは、第３実施形態に係るものと同じである。
【０１０９】
図２５に示すとおり、引出線拘束具５０Ｃは、第１貫通孔２４’および第２貫通孔２５’と係合するように設置されているので、隣接するコイル巻線３０の間に位置している。
【０１１０】
図２２に示すとおり、引出線拘束具５０Ｃの厚さＴは、隣接する２つのコイル巻線３０の周方向の離間距離Ｇ以下である。
【０１１１】
（３）特徴
引出線拘束具５０Ｃの厚さＴは、隣接するコイル巻線３０の周方向の離間距離Ｇ以下であるので、引出線拘束具５０Ｃが、スロット３１を完全に塞いでしまうことはない。したがって、冷媒流体はスロット３１を通過することができる。
【０１１２】
（４）変形例
（４−１）変形例４Ａ
図２６は、第４実施形態の変形例４Ａに係る引出線拘束具５０Ｄを示す。引出線拘束具５０Ｄは、第２延出部５２のから延びる、平板状の相間絶縁部５８を有している。
【０１１３】
引出線拘束具５０Ｄがインシュレータ２０Ｄに設置されたとき、相間絶縁部５８はスロット３１に挿入され、隣接する２つのコイル巻線３０を隔てる。
【０１１４】
この構成によれば、隣接する２つのコイル巻線３０は互いからより確実に絶縁される。
【０１１５】
（４−２）その他の変形例
第１実施形態の変形例を、本実施形態に適用してもよい。
＜第５実施形態＞
（１）全体構成
図２７は、本発明の第５実施形態に係る圧縮機３００の断面図である。圧縮機３００は、空気調和装置などに搭載され、流体冷媒などを圧縮するのに用いられる。
【０１１６】
圧縮機３００は、モータ１００、シャフト１５０、圧力容器２１０、流体圧縮機構２２０、吸入管２３０、吐出管２４０、潤滑油貯留部２５０を備えている。
【０１１７】
（２）詳細構成
（２−１）圧力容器２１０
圧力容器２１０は、高圧に耐えることができ、圧縮機３００の他の構成要素を収容している。
【０１１８】
（２−２）モータ１００
モータ１００は、第１〜第４実施形態またはその変形例に係るものである。圧力容器２１０が、モータ１００のケーシング９０（図１ほか）の機能も併せ持つ。
【０１１９】
冷媒は、図中の矢印が示すとおり、下方から上方に流れる。冷媒は、モータ１００を通過する際には、回転子と固定子の隙間のほか、固定子における巻線コイル間のスロットなどを通る。
【０１２０】
（２−３）シャフト１５０
シャフト１５０は、モータ１００の動力を流体圧縮機構２２０に伝達するためのものであり、偏心部１５１を有する。
【０１２１】
（２−４）流体圧縮機構２２０
流体圧縮機構２２０は、モータ１００の動力によって流体を圧縮するものであり、シリンダ２２１およびピストン２２２を有する。シリンダ２２１とピストン２２２は圧縮室２２３を規定している。ピストン２２２はシャフト１５０の偏心部１５１に設けられている。シャフト１５０が回転すると、ピストン２２２が動き、圧縮室２２３の容積を変化させる。これにより、流体が圧縮される。
【０１２２】
（２−５）吸入管２３０
吸入管２３０は、圧縮される前の流体を流体圧縮機構２２０へ案内する。
【０１２３】
（２−６）吐出管２４０
吐出管２４０は、圧縮された後の流体を圧力容器２１０の外部へ案内する。
【０１２４】
（２−７）潤滑油貯留部２５０
潤滑油貯留部２５０は、流体圧縮機構２２０およびその他の機構を潤滑するための潤滑油を貯留する。
【０１２５】
（３）特徴
この構成によれば、圧縮機３００は、本発明に係るモータ１００を有する。したがって、引出線拘束具が引出線４０を固定する際に、冷媒の流れが阻害されにくい。
【産業上の利用可能性】
【０１２６】
本発明は、あらゆる技術分野において用いられるモータに対して広く適用可能である。さらに本発明は、空気調和装置に搭載される圧縮機にも適用可能である。
【符号の説明】
【０１２７】
Ｃ        中心軸
Ｇ        隣接するコイル巻線の離間距離
Ｔ        引出線拘束具の厚さ
Ｗ        コイル巻線の周方向の寸法
１０      固定子コア
２０Ａ、２０Ｂ、２０Ｃ、２０Ｄ    インシュレータ
３０      コイル巻線
４０      引出線
５０Ａ、５０Ｂ、５０Ｃ、５０Ｄ    引出線拘束具
５４      第１係合部
５５      第２係合部
５８      相間絶縁部
６０Ａ、６０Ｂ、６０Ｃ、６０Ｄ    固定子
６１      空洞
７０      回転子
１００Ａ、１００Ｂ、１００Ｃ、１００Ｄ    モータ
１５０    シャフト
２１０    圧力容器
２２０    流体圧縮機構
３００    圧縮機
【先行技術文献】
【特許文献】
【０１２８】
【特許文献１】特開２０１０−４５９５２号公報
【図１】
2016192880.tif 000003
【図２】
2016192880.tif 000004
【図３】
2016192880.tif 000005
【図４】
2016192880.tif 000006
【図５】
2016192880.tif 000007
【図６】
2016192880.tif 000008
【図７】
2016192880.tif 000009
【図８】
2016192880.tif 000010
【図９】
2016192880.tif 000011
【図１０】
2016192880.tif 000012
【図１１】
2016192880.tif 000013
【図１２】
2016192880.tif 000014
【図１３】
2016192880.tif 000015
【図１４】
2016192880.tif 000016
【図１５】
2016192880.tif 000017
【図１６】
2016192880.tif 000018
【図１７】
2016192880.tif 000019
【図１８】
2016192880.tif 000020
【図１９】
2016192880.tif 000021
【図２０】
2016192880.tif 000022
【図２１】
2016192880.tif 000023
【図２２】
2016192880.tif 000024
【図２３】
2016192880.tif 000025
【図２４】
2016192880.tif 000026
【図２５】
2016192880.tif 000027
【図２６】
2016192880.tif 000028
【図２７】
2016192880.tif 000029